(57)【特許請求の範囲】
【請求項１】
映像を映し出すための映像表示器と、
放電により点灯して、前記映像をスクリーンに表示するため前記映像表示器に光を照射する光源と、
電源のオフの指示があったとき画ミュートをかけ、電源のオフの指示があってから第１の遅延時間が経過する前に電源のオンの指示があったとき画ミュートを解除し、電源のオフの指示があってから前記第１の遅延時間を経過した後に光源の点灯を停止し、光源の点灯を停止してから第２の遅延時間が経過する前に電源のオンの指示があった場合、前記第２の遅延時間の経過を待って光源を点灯させる制御部と、
を備えることを特徴とする映像表示装置。
【請求項２】
光源は高輝度ランプであり、映像表示器は液晶表示装置であり、前記第２の遅延時間は、前記高輝度ランプの点灯中に電源供給が遮断された後に前記高輝度ランプの電極間のガスが均一に分散した状態になるまでに要する時間に略等しい請求項１に記載の映像表示装置。
【請求項３】
前記第１の遅延時間は、前記第２の遅延時間よりも短い請求項１に記載の映像表示装置。
【請求項４】
電源のオフの指示があったとき画ミュートと共に音ミュートをかけ、電源のオフの指示があってから前記第１の遅延時間が経過する前に電源のオンの指示があったとき画ミュートと共に音ミュートを解除する請求項１に記載の映像表示装置。
【請求項５】
光源が放電により点灯して、この光源が前記映像をスクリーンに表示するため前記映像表示器に光を照射している際に、
制御部は、電源のオフの指示があったとき画ミュートをかけ、電源のオフの指示があってから第１の遅延時間が経過する前に電源のオンの指示があったとき画ミュートを解除し、電源のオフの指示があってから前記第１の遅延時間を経過した後に光源の点灯を停止し、光源の点灯を停止してから第２の遅延時間が経過する前に電源のオンの指示があった場合、前記第２の遅延時間の経過を待って光源を点灯させることを特徴とする映像表示装置における光源消灯阻止方法。
【請求項６】
光源は高輝度ランプであり、映像表示器は液晶表示装置であり、前記第２の遅延時間は、前記高輝度ランプの点灯中に電源供給が遮断された後に前記高輝度ランプの電極間のガスが均一に分散した状態になるまでに要する時間に略等しい請求項５に記載の映像表示装置における光源消灯阻止方法。
【請求項７】
前記第１の遅延時間は、前記第２の遅延時間よりも短い請求項５に記載の映像表示装置における光源消灯阻止方法。
【請求項８】
電源のオフの指示があったとき画ミュートと共に音ミュートをかけ、電源のオフの指示があってから前記第１の遅延時間が経過する前に電源のオンの指示があったとき画ミュートと共に音ミュートを解除する請求項５に記載の映像表示装置における光源消灯阻止方法。
【発明の詳細な説明】
【０００１】
【発明の属する技術分野】
本発明は、テレビジョン受像機、モニター、映像プロジェクタのような映像表示装置と、その映像表示装置における光源消灯阻止方法の改良に関するものである。
【０００２】
【従来の技術】
映像表示装置（映像映出装置ともいう）には、上述したようにテレビジョン受像機や、映像モニタあるいは映像プロジェクタ等といったものがある。
この種の映像表示装置では、映像表示器、例えば液晶表示装置において映像を映し出して、その液晶表示装置の背面から光源の光を投射することによりその映像をスクリーンに拡大して表示するようになっている。
例えば液晶表示装置を用いた液晶リアプロジェクションテレビジョン受像機は、奥行を少なくしてスクリーンを広くすることができることから、ブラウン管を用いたテレビジョン受像機よりも大型化が容易に行える。
【０００３】
この種の映像表示装置に用いられる光源としては、放電を利用したランプを用いている。この種のランプでは電極間にガスが封入されていて、電極間で放電することによりガスが発光するようになっている。このランプに対する電源供給が切られている場合には、ランプの電極間のガスが均一に分散している。そしてランプに対して電源供給を行う場合には交流の高電圧をかける。それによりガスが電極間で電離されて発光を始める。その後この高電圧を下げることで安定した発光の状態に移る。
【０００４】
【発明が解決しようとする課題】
ところが、この種のランプでは交流の高電圧をかけたにも係わらずガスの分離が上手く行えず発光しないことがある。この状態では、ランプに対する電源供給をいったんオフにして、しばらく待ってから電極間のガスが均一に分散した状態にならないと、ランプの点灯動作の再立上げができない。
ユーザが就寝あるいは外出等でランプの電源を完全に切ってしまう場合には問題ないが、映像表示装置で映像を見ている途中にうっかりと例えばリモートコントロールの電源キーを指でさわってオフにしてしまった場合には、ユーザが再度電源キーを押してオンにしても上述したようにランプは再度即座に点灯することができず、例えばユーザは次の点灯までに３０秒程度待たなければならず非常に使用勝手が悪いという問題がある。
そこで本発明は上記課題を解消し、うっかりと電源をオフにしてしまった場合であっても、放電により点灯する光源をオフにすることなく直ぐに電源キーをオンにすれば続けて映像表示装置における映像を楽しむことができる映像表示装置と映像表示装置における光源消灯阻止方法を提供することを目的としている。
【０００５】
【課題を解決するための手段】
上記目的は、本発明にあっては、映像を映し出すための映像表示器と、放電により点灯して、前記映像をスクリーンに表示するため前記映像表示器に光を照射する光源と、電源のオフの指示があったとき画ミュートをかけ、電源のオフの指示があってから第１の遅延時間が経過する前に電源のオンの指示があったとき画ミュートを解除し、電源のオフの指示があってから、この第１の遅延時間を経過した後に光源の点灯を停止し、光源の点灯を停止してから第２の遅延時間が経過する前に電源のオンの指示があった場合、この第２の遅延時間の経過を待って光源を点灯させる制御部と、を備えることを特徴とする映像表示装置により、達成される。
【０００６】
本発明では、映像表示装置が映像を映し出している際に、光源は放電により点灯している。これにより光源は映像表示器に映し出されている映像をスクリーンに表示している。
この際に、電源がオフされると、制御部は、画ミュートをかけ、電源がオフされてから第１の遅延時間が経過する前に電源のオンの指示があったとき画ミュートを解除する。また制御部は、電源がオフされてから第１の遅延時間を経過した後に光源の点灯を停止する。
これにより、ユーザのような映像表示装置の使用者は、うっかりと電源をオフにした場合であっても、その場で画ミュートが起こるので、誤って電源をオフにしてしまったことに気がつく。また、電源がオフされても、直ちには光源がオフにはならずある遅延時間を経過した後にオフになる。従って、電源を誤ってオフにしても、直ちに電源を再びオンにすれば、画ミュートは解除でき、しかも光源は点灯し続けているので直ぐに映像を出すことができ、使用勝手がよい。
また、光源の点灯を停止した後、第２の遅延時間が経過する前に電源をオンにした場合、この第２の遅延時間の経過を待って光源が点灯する。
【０００７】
本発明において、制御部が電源をオフした時に画ミュートと音声ミュートをかけるが、電源がオフされてから遅延時間を経過した後に光源の点灯を停止する。これにより、ユーザが誤って電源をオフにしても、画ミュートと音声ミュートがかかるのでその時点で直ぐに誤って電源をオフしたことがユーザに分かり、ユーザはこれにより再び電源をオンにすれば、放電により点灯している光源をオフしてしまうことがなくなる。
【０００８】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【０００９】
図１は、本発明の映像表示装置の好ましい実施の形態を示しており、図１に示すのは液晶リアプロジェクションテレビジョン受像機と呼ばれている背面投射型のリアプロジェクタである。
リアプロジェクタ１は、上部キャビネット２と下部キャビネット３を有している。
上部キャビネット２は、その前面側に長方形状のフレーム部４が形成されており、そのフレーム部４にはスクリーン５が取り付けられている。
この上部キャビネット２は、上面壁６、側面壁７，８及び背面壁９そして底面壁１０により内部が空洞でかつ周囲が閉鎖された箱型に作られている。この上部キャビネット２の中には、図２に示すミラー１１が配置されている。表示面としてのスクリーン５は、このミラー１１の前側に配置されている。ミラー１１はスクリーン５に対して所定の角度斜めに傾斜して配置されている。
【００１０】
図１の下部キャビネット３は、スクリーン５とミラー１１の他に、投射装置１２及びその他の機器を収容している。下部キャビネット３の前面側にはスピーカ１３，１３と操作部１５、異常表示部１６等が配置されている。操作部１５は複数の操作ボタン１５ａを有している。また異常表示部１６は複数の例えば発光ダイオード（ＬＥＤ）１６Ａ，１６Ｂ，１６Ｃ等を有している。
このリアプロジェクタ１に対しては付属のワイヤレス型のリモートコントローラ２０を備えている。
【００１１】
図３は図１の上部キャビネット２と下部キャビネット３の内部構造例を示している。
上部キャビネット２は、投影装置１２を有し、この投影装置１２はＲ（レッド）、Ｇ（グリーン）、そしてＢ（ブルー）に対応した液晶表示装置３０を有している。この液晶表示装置３０は、映像を映し出すための映像表示器であり、この液晶表示装置３０とスクリーン５の間にはプリズム３１とレンズ系３２が配置されている。このプリズム３１は、液晶表示装置３０のＲ（レッド）に対応した液晶パネル３０Ａ、Ｇ（グリーン）に対応した液晶パネル３０Ｂ、Ｂ（ブルー）に対応した液晶パネル３０Ｃにそれぞれ映し出されている画像を合成し、レンズ系３２がその合成された映像を拡大してスクリーン５側に投影する。この時には、後で説明する下部キャビネット３の光源としてのランプ３５からの光の照射により、スクリーン５に対して投影することで液晶表示装置３０の映像が拡大表示される。
【００１２】
次に、図３を参照して、図１の下部キャビネット３に内蔵されている回路構成例を説明する。
図３において、リアプロジェクタ１の回路構成は次のようになっている。
図３では、信号の入力部９０，９１、信号の処理部９２、制御部６０を有しており、制御部６０は上述した信号の入力部９０と信号の処理部９２に電気的に接続されている。しかも制御部６０は、光源としてのランプ２４、ファン２５、温度センサ２６、電源ＰＳに電気的に接続されている。
【００１３】
信号の入力部９０は、ＤＶＤ（デジタルビデオディスク、あるいはデジタルバーサタイルディスクともいう）入力部９０Ａ、高品位テレビジョン信号（ＨＤ）用の入力部９０Ｂ、オーディオビジュアル用のマルチ入力部９０Ｃ、Ｕ／Ｖアンテナ４５ａ、ＢＳアンテナ４６、ビデオ入力９０Ｄを有している。信号の入力部９１は、リモートコントローラ２０からの例えば赤外線による入力信号を受ける受信部２０Ｃと操作部１５を有している。
Ｕ／Ｖアンテナ４５ａはＵ／Ｖチューナー４５ｂに接続されている。同様にしてＢＳアンテナ４６はＢＳチューナー４７に接続されている。
【００１４】
次に、信号の処理部９２は、Ａ／Ｖスイッチ４８、オーディオコントロール４９、スピーカ１３，１３、３次元コムフィルタ５１、ワイドＩＤ信号検出部５２、拡張ＴＶ５３、クロマデコーダ５４、スキャンコンバータ５５、ＲＧＢマトリックス５６、ホワイトバランス部５７、ＬＣＤドライバ５８、メモリ６１、画面表示ＩＣ（集積回路）６２等を有している。
【００１５】
制御部６０は、例えばシステムマイクロコンピュータのようなものを用いており、制御部６０は、上述したＵ／Ｖチューナー４５ｂ、ＢＳチューナー４７、Ａ／Ｖスイッチ４８、ワイドＩＤ信号検出部５２、３次元コムフィルタ５１、拡張ＴＶ５３、クロマデコーダ５４、スキャンコンバータ５５、ＲＧＢマトリックス５６、ホワイトバランス部５７、ドライバ５８、メモリ６１、オーディオコントロール４９、画面表示ＩＣ６２等に対してバス（ＢＵＳ）４００により電気的に接続されている。
信号の入力部９１の受信部２０Ａと操作部１５は制御部６０に接続されている。図１と図３に示す異常表示部１６のＬＥＤ１６Ａ〜１６Ｃも、制御部６０からの指令により適当な組合せで点灯表示できる。
【００１６】
Ｕ／Ｖチューナー４５ｂは、地上波をＵ／Ｖアンテナ４５ａで受信した信号の選局を行うものであり、ＢＳチューナー４７は、衛星放送波をＢＳアンテナ４６で受信して得た信号の選局を行う。
【００１７】
Ａ／Ｖスイッチ４８は、Ｕ／Ｖチューナー４５ｂ及びＢＳチューナー４７で選局されて復調された映像信号（Ｖ）及び音声信号（Ｌ，Ｒ）、及びビデオ入力部９０Ｄからの映像信号（Ｖ）及び音声信号（Ｌ，Ｒ）を入力し、選択した１つを出力する。
【００１８】
オーディオコントロール４９は、Ａ／Ｖスイッチ４８により選択された左右の音声信号（Ｌ，Ｒ）を制御して、音声信号を左右のスピーカー１３，１３から出力する。
ＨＤ入力部９０Ｂからのハードディスクに記録された映像信号はＲＧＢマトリックス５６に入り、かつ音声信号はＡ／Ｖスイッチ４８に入る。ＡＶマルチ入力部９０Ｃの映像信号は色差変換部７７に入り、Ｙ／色差信号はスキャンコンバータ５５に入り、しかも音声信号はＡ／Ｖスイッチ４８に入る。
Ａ／Ｖスイッチ４８は入力信号を選択して３次元コムフィルタ５１へ映像信号を出力する。
【００１９】
３次元コムフィルタ５１は、Ａ／Ｖスイッチ４８により選択された映像信号を入力して輝度信号と色信号（Ｙ／Ｃ）に分離して出力する。
【００２０】
ワイドＩＤ信号検出部５２は、Ａ／Ｖスイッチ４８からの選択された映像信号中から垂直帰線区間内に重畳されているワイドＩＤ信号を検出する。
【００２１】
拡張ＴＶ５３は、３次元コムフィルタ５１で抽出された輝度信号と色信号から、拡張テレビの識別制御信号検出と補強信号のデコードを行い、クロマデコーダ５４に出力する。
【００２２】
クロマデコーダ５４は、拡張ＴＶ５３において識別制御信号と補強信号とをデコードした映像信号の輝度信号と色信号を、Ｙ／色差信号に復調するものである。
【００２３】
スキャンコンバータ５５は、クロマデコーダ５４にて復調されたＹ／色差信号を、液晶表示装置３０を用いる場合にインターレス走査ができないため倍速に変換し、且つ画面表示が４：３を１６：９のアスペクト比に変換して、例えばズーム処理等を行う。
【００２４】
ＲＧＢマトリックス５６は、スキャンコンバータ５５で倍速されたＹ／色差信号を倍速のＲＧＢ信号に変換し、及びＨＤ入力部９０Ｂからの映像信号との切換え、及び画面表示ＩＣ６２から出力される管面表示用ＲＧＢ信号を入力し映像のＲＧＢ信号に重畳する。
【００２５】
ホワイトバランス部５７は、スキャンコンバータ５５にて倍速され、且つＲＧＢマトリックス５６により重畳等されたＲＧＢ信号のホワイトバランス調整を行う。
【００２６】
ＬＣＤドライバ５８は、ホワイトバランス部５７にてホワイトバランス調整され、倍速されたＲＧＢ信号を、３枚のＬＣＤパネル５７Ａ，５７Ｂ，５７Ｃに供給して制御する。
【００２７】
スクリーン４Ａは、ＲＧＢ用の３枚のＬＣＤパネル５７Ａ，５７Ｂ，５７Ｃと、このＬＣＤパネル５７Ａ，５７Ｂ，５７Ｃから通過した映像をランプ２４の照射光を通過して写し出す。
【００２８】
各構成部分は、バス（ＢＵＳ）４００を介して制御部６０により制御されているが、ユーザからのリモートコントローラ２０または操作部１５による選局情報に基いて、制御部６０に入力されバス（ＢＵＳ）４００を介して各種制御を実行する。
【００２９】
このバス（ＢＵＳ）４００に接続されているメモリ６１には、制御部６０が各種制御に必要な情報が格納されている。例えば、ユーザが指定した画面モード、チャンネル、入力切換え、音量等、又は画面歪等の調整データもここに格納されている。
【００３０】
一方、制御部６０は、ランプ２４、ファン２５及び操作部１９のＬＥＤ１６Ａ，１６Ｂ，１６Ｃの点灯を制御する。
【００３１】
制御部６０は、フィルタ異常検出、ファン異常検出、ランプ異常検出、温度異常検出等からなる異常検出機構を制御する。
【００３２】
この制御部６０による異常状態の検出機構は、各種の異常状態を検出すると共に、電源を切る等の動作をし、且つ各種の異常状態に応じた表示をする。
【００３３】
各種の異常状態の表示は、液晶プロジェクションテレビ１の前面の操作部１５の３個のＬＥＤ１６Ａ，１６Ｂ，１６Ｃの表示の組合せで表現する。これらのＬＥＤ１６Ａ，１６Ｂ，１６Ｃは通常は電源の状態を表示するようになっている。例えば電源ＬＥＤ１６Ａは電源が入った時に点灯する。スタンバイ用のＬＥＤ１６Ｂはセット電源がスタンバイの時に点灯する。ＢＳ電源用のＬＥＤ１６ＣはＢＳ電源が入った時に点灯する。このようなＬＥＤ１６Ａ，１６Ｂ，１６Ｃを利用して個々の異常状態を表示する。
制御部６０は、画面表示ＩＣ６２に対してバス（ＢＵＳ）４００を介して指示し、画面表示用ＲＧＢ信号の出力を行わせて図１と図２のスクリーン５上に重畳表示等を適宜行わせることができる。
【００３４】
次に、図３を参照して各種異常状態について説明する。
ランプ２４は、後で説明するが放電式で発光するランプであり、このランプ２４が発光して発熱するので、そのランプ２４はファン２５により冷却する必要がある。
このランプ２４が異常である場合としては、ランプは放電により発光するために構造上点灯しないことがあり得るし、ランプ２４の寿命により切れることもある。ランプ異常検出信号ＬＥＳは、ランプ２４側から制御部６０側に送られることで、ランプ２４の不点灯を検出する。
ランプ２４には寿命があり、ランプ２４が切れた時にはカバーを開けてユーザが交換できるようになっている。このランプ２４のカバーを開けてランプ２４自体のユニットを交換するのであるが、このランプ２４のカバー異常検出信号ＣＥＳは、このカバーが開けられていることを検出する。
【００３５】
ファン異常検出信号ＦＥＳは、ファン２５が何等かの原因により回転しない場合に、ファン２５が正常に回転していないことを検出する信号である。
フィルタ異常検出信号ＦＳは、次のような場合に用いられる。ファン２５は、光源２４のユニットに対して外気を送り込んで冷却するが、この外気と同時に塵やほこりもユニット内に送られてしまうと、ランプ２４の不良の原因となる。そのために、フィルタが設定されており、このフィルタの塵やほこりを排除するようにしている。そうすると、時間が経過するとともにフィルタに対して塵やほこりが蓄積されて、外気の通りが悪くなる。そのために定期的にフィルタを外して塵やほこりの掃除をする必要がある。そのために、フィルタ異常検出信号ＦＳはフィルタが外されていることを検出するものである。
【００３６】
次に温度異常検出信号ＴＥＳは、次のような場合に用いる。ファン２５がユニット内を冷却しても、ユニット内の温度が異常になる可能性がある。この場合に、ランプ２４が異常に発熱するとか、ファン２５での冷却が悪い場合である。この場合には温度異常検出信号ＴＥＳが制御部６０に送られることにより、ユニット内の温度が異常に高くなっていることを検出できる。
その他に、ファン回転信号ＦＡＳは、制御部６０がファン２５に対して送ることによりファン２５は所定の回転数で回転する。ランプ点灯信号ＬＳは、制御部６０がランプ２４に送ることによりランプを点灯させる信号である。
【００３７】
次に、ランプ２４について説明する。高輝度ランプ等のランプ２４の電極間にはガスが封入されていて、電極間で放電することによりガスが発光する。
制御部６０が電源ＰＳに対してランプ点灯信号ＬＳを送らないと、ランプの電源ＰＳは切れるのであるが、このように電源ＰＳが切られている状態では電極間のガスが均一に分散している。ランプ点灯信号ＬＳが制御部６０から送られると、ランプ２４の点灯動作が立上がることになり、この時に±２５ＫＶのＡＣ高電圧をかける。すると、ガスが電極間で電離されてランプ２４が発光を始める。その後ＡＣ高電圧を所定の値まで下げるとランプ２４は安定した発光の状態になる。
【００３８】
この時に、±２５ＫＶのＡＣ高電圧をかけたにも係わらず、ガスの電離が上手く行われずに発光しないことがある。この状態は、図３のランプ異常検出信号ＬＥＳにより制御部６０に入力される。この時は、制御部６０はランプ点灯信号ＬＳをランプ２４に送らずに、しばらく待ってランプ２４の電極間のガスが均一に分散した状態にならないと、ランプ２４の点灯の再立上げができない。
ランプ２４の点灯中に、ＡＣ遮断があると、電極間で放電しているＡＣ高電圧が下がり、ランプ２４の不点灯になることがある。この状態では、ランプ異常検出信号ＬＥＳが制御部６０に入力される。この時も、制御部６０はランプ点灯信号ＬＳを電源ＰＳには送らず、しばらく待って電極間のガスが均一に分散した状態にならないと、ランプ２４の点灯の再立上げ作業ができない。
電極間のガスが均一に分散した状態になる待ち時間であるが、ランプ２４の点灯中から電源供給を止めて切りにすると３０秒はかかる。ランプ２４の再点灯の立上げに失敗した時は、ガスの分離が途中なので再点灯をするまでには１５秒程度はかかる。
【００３９】
ユーザが就寝もしくは外出等で電源を切ってしまう場合は問題ないが、ユーザが図１のリアプロジェクタ１のスクリーン５を見ながら楽しんでいる時に、うっかりとリモートコントローラ２０の電源キー２０Ａを押してしまった場合等には、次のような要領でユーザがリモートコントローラ２０の電源キー２０Ａをもう一度押せばランプ２４の消灯を阻止することができ、スクリーン５上の画像を継続して楽しむことができる。
【００４０】
なお、図３に示すＲ（レッド）に対応する液晶パネル５７Ａ、Ｇ（グリーン）に対応する液晶パネル５７Ｂ、そしてＢ（ブルー）に対応する液晶パネル５７Ｃは、合成素子である例えばプリズムに対応して配置されている。液晶表示装置（映像表示器）３０の液晶パネル５７Ａ，５７Ｂ，５７Ｃに映る画像は、ランプ２４が背部から送る光により、合成素子としてのプリズム９９により合成されて、しかも拡大レンズ１００により拡大されることによりスクリーン５に対して拡大して表示することができる。
【００４１】
次に、図４と図５を参照して、電源を切った場合と電源を入れた場合における操作について説明する。
まず図４を参照する。図４は、ユーザが就寝あるいは外出等で、リアプロジェクタ１のリモートコントローラ２０の電源キー２０Ａを押した場合、あるいはスクリーン５により映像を見ている途中でユーザがうっかりリモートコントローラ２０の電源キー２０Ａを押してしまった場合について示している。
図４のステップＳ１において、ユーザが図３のリモートコントローラ２０の電源キー２０Ａを押すと、受信部２０Ｃがこの電源キー２０Ａが押されたことを受信して制御部６０は、電源が切られたことを認識する。これにより、制御部６０はオーディオコントロール４９に信号を送ってスピーカ１３からの音声をミュート（遮断）するとともに、画面表示ＩＣ６２に対して信号を送って画ミュート（遮断）を行う（ステップＳ２）。
【００４２】
そして、制御部６０はステップＳ３に示すように、所定の遅延時間、例えば５秒間待って、ランプ点灯信号ＬＳを電源ＰＳに対して供給するのを停止する。これにより、ランプ２４の点灯はステップＳ４に示すように切りになる。
このようにして、ユーザが就寝や外出等で電源を切る場合には、図４のステップＳ１〜Ｓ４を行うことで画ミュート及び音声ミュートを行い、そして、遅延時間の経過後にランプ２４の発光を停止する。
【００４３】
図５のステップＳ１１では、電源キー２０Ａが押されてオンになると、制御部６０がリモートコントローラ２０の電源キー２０Ａのオンにより電源が入ったことを認識している。ステップＳ１２において、制御部６０はランプ２４が点灯しているかを、ランプ点灯信号ＬＳが電源ＰＳに対して送られていることと、ランプ異常検出信号ＬＥＳがランプ２４から送られていないことに基いて判断する。ステップＳ１２においてランプ２４が点灯している場合にはステップＳ１３に移り、制御部６０がオーディオコントロール４９と画面表示ＩＣ６２に信号を送って画ミュート（画面ミュート）と音声ミュートを解除する。これにより音声はスピーカ１３から出力されるとともに、映像はスクリーン５に映し出される。
【００４４】
これに対して、ステップＳ１２においてランプ２４が消えている場合には、ステップＳ１４に移る。このランプ２４がオフされてから例えば所定の遅延時間３０秒経過したかどうかを制御部６０が判断する。ステップＳ１４において３０秒経過していない場合にはステップＳ１５において遅延時間が３０秒経過するまで待つ。
ステップＳ１５において、３０秒経過した場合あるいはステップＳ１４においてすでに３０秒経過している場合にはステップＳ１６に移り、制御部６０はランプ点灯信号ＬＳを電源ＰＳに供給することでランプ２４を点灯させる。そしてステップＳ１７において、制御部６０がオーディオコントロール４９と画面表示ＩＣ６２に信号を送って画ミュートと音声ミュートを解除する。
【００４５】
以上のようにして、図４ではステップＳ１〜Ｓ３において、ユーザが電源を切った場合に画ミュート及び音声ミュートを行った後に、所定の遅延時間例えば５秒待つことにより、ランプ２４は電源を切った時点での消灯を阻止することができる。従って、電源を切った時に行った後に５秒待った時点でそれでも再びユーザがリモートコントローラ２０の電源キー２０Ａを再度押してオンしなければランプ２４を切り、ステップＳ４でランプ点灯信号ＬＳの供給を停止してランプ２４の消灯を行う。
このようにすることで、スクリーン５で映像を見ている途中で、うっかりとユーザがリモートコントローラ２０の電源キー２０Ａを押した場合であっても、その場で画ミュートと音声ミュートが起こるので、ユーザは誤って電源キー２０Ａを押してしまったことに気がつく。従ってユーザは再度即座に電源キー２０Ａをオフ状態からオンにすれば、５秒間経過していなければこの間であっても制御部６０は電源ＰＳに対してランプ点灯信号ＬＳを供給し続けているので、ランプ２４が消灯してしまう現象を防ぐことができる。
このようにして、ユーザが再度電源キー２０Ａをオフの状態からオンにすれば、画ミュートと音声ミュートは解除でき、しかもランプ２４は消灯しておらずランプ２４は点灯し続けているので、映像はスクリーン５上に映し出すことができる。これにより、ユーザは電源キー２０Ａのオン操作より、ランプ２４は消さずに直ぐに映像と音を出すことができ、ユーザの使用勝手を向上できる。
【００４６】
ところで上述した実施の形態では遅延時間を図４のステップＳ３において５秒に設定しているが、これに限らず制御部６０は、例えば０秒，５秒，１０秒，１５秒，２０秒，２５秒，３０秒・・・等の各種値に切換えることができるようにしてもよい。またこのような遅延時間の設定は、制御部６０にあらかじめ組み込んでおくこともできるしあるいはソフトウェア的に設定することも勿論可能である。このようにすると、従来誤って電源キー２０Ａを押してしまってランプ２４が消灯してしまった場合に、少くともランプを再点灯させるには３０秒必要であったが、このような待ち時間が不要となりリアプロジェクタ１の使用勝手が向上する。
【００４７】
ところで本発明は上記実施の形態に限定されない。
上述した実施の形態では、映像表示装置として、液晶パネルを用いて、この液晶パネルの背面からランプの光を投射する形式のものを用いているが、これに限らず、他の方式のものも勿論採用することができる。
またこのスクリーンに対して表示する画像の内容としてはテレビジョン受像機に表示する番組内容や、通常のプレゼンテーション用の映像あるいはその他の映像を表示することができる。
【００４８】
【発明の効果】
以上説明したように、本発明によれば、うっかりと電源をオフにしてしまった場合であっても、放電により点灯する光源をオフにすることなく直ぐに電源キーをオンにすれば続けて映像表示装置における映像を楽しむことができる。
【図面の簡単な説明】
【図１】本発明の映像表示装置の実施の形態を示す斜視図。
【図２】図１の映像表示装置の内部構造の一例を示す斜視図。
【図３】図１の映像表示装置の内部回路例を示し、制御部、ランプ、スクリーン等を示す図。
【図４】ユーザが電源を切った場合における処理例を示す図。
【図５】ユーザが電源を入れた場合における処理例を示す図。
【符号の説明】
１・・・リアプロジェクタ（映像表示装置）、５・・・スクリーン、２０・・・リモートコントローラ、２０Ａ・・・リモートコントローラの電源スイッチ、２４・・・ランプ（光源）、３０・・・液晶表示装置（映像表示器）、５７Ａ，５７Ｂ，５７Ｃ・・・液晶パネル、６０・・・制御部、ＬＳ・・・ランプ点灯信号
【図１】
0003780660.tif 000002
【図２】
0003780660.tif 000003
【図３】
0003780660.tif 000004
【図４】
0003780660.tif 000005
【図５】
0003780660.tif 000006